(57)【要約】【課題】  カバー部材が機器の一部を覆うような構造である場合、十分な防塵性、防滴性を確保することが難しかった。【解決手段】  操作スイッチ（２１３）と、操作スイッチが表出する開口部が設けられた外装部材（２０４）と、回動軸を中心として操作スイッチを覆う閉位置と操作スイッチを操作可能にする開位置を回動可能に構成されるカバー部材（２１１）を有し、外装部材には、操作スイッチが配置されている領域（２２１）が設けられ、当該領域は、外装部材の端面と一辺（２０６）が重なるように配置されており、外装部材には、カバー部材によって覆われる領域の全周に当該領域よりも高さ方向に低い溝部（４０４）が配設され、溝部が端面と交差する箇所にカバー部材の閉位置を維持するための係止部（４０５）を溝部と連続的に設けた。【選択図】  図５
2013093724.tif 000002
【特許請求の範囲】
【請求項１】
操作スイッチと、
前記操作スイッチが表出する開口部が設けられた外装部材と、
回動軸を中心として前記操作スイッチを覆う閉位置と前記操作スイッチを操作可能にする開位置を回動可能に構成されるカバー部材を有し、
前記外装部材には、前記操作スイッチが配置されている領域が設けられ、当該領域は、前記外装部材の端面と一辺が重なるように配置されており、
前記外装部材には、前記カバー部材によって覆われる領域の全周に当該領域よりも高さ方向に低い溝部が配設され、前記溝部が前記端面と交差する箇所に前記カバー部材の閉位置を維持するための係止部を前記溝部と連続的に設けたことを特徴とする電子機器。
【請求項２】
前記係止部は、前記カバー部材の閉位置において、前記操作スイッチが配置されている領域に対して垂直かつ前記回動軸と平行な面に配設され、かつ、前記回動軸と前記係止部の幅方向が平行になるように配設したことを特徴とする請求項１に係る電子機器。
【請求項３】
請求項１または２に記載の電子機器を備えた撮像装置。
【発明の詳細な説明】
【技術分野】
【０００１】
本発明は、操作部に取り付けられた開閉可能なカバー部材を有する電子機器およびそれを備えた撮像装置に関するものである。
【背景技術】
【０００２】
従来、使用者が不用意に触れてしまうと不都合が生じる撮像装置の操作部に関して、操作部を被覆する開閉するカバー部材が設けられている。撮像装置は屋外で使用されることが多いため、このカバー部材は天候や場所といった撮影環境下での撮影作業に耐えうる必要がある。
カバー部材の一例として、カバー部材に設けられた突起部を本体側の溝部に嵌合することで、薄型化および軽量化を図りながら、外部からの押圧に対して内部構造を保護することができる筐体構造が開示されている。（特許文献１）
【先行技術文献】
【特許文献】
【０００３】
【特許文献１】特開２００９−９９０６４
【発明の概要】
【発明が解決しようとする課題】
【０００４】
しかしながら、カバー部材が機器の一部を覆うような構造である場合、たとえば水滴を受けた際にはカバー部材によって操作部への水滴の侵入は防げるが、カバー部材の外側に浸入した水滴を排出したいという課題があった。
【課題を解決するための手段】
【０００５】
上記の課題を解決するために、本発明に係る電子機器は、操作スイッチと、前記操作スイッチが表出する開口部が設けられた外装部材と、回動軸を中心として前記操作スイッチを覆う閉位置と前記操作スイッチを操作可能にする開位置を回動可能に構成されるカバー部材を有し、前記外装部材には、前記操作スイッチが配置されている領域が設けられ、当該領域は、前記外装部材の端面と一辺が重なるように配置されており、前記外装部材には、前記カバー部材によって覆われる領域の全周に当該領域よりも高さ方向に低い溝部が配設され、前記溝部が前記端面と交差する箇所に前記カバー部材の閉位置を維持するための係止部を前記溝部と連続的に設けたことを特徴とする電子機器。
【発明の効果】
【０００６】
カバー部材が機器の一部を覆うような構造である場合でも、たとえば水滴を受けた際にはカバー部材によって操作部への水滴の侵入は防ぐとともに、カバー部材の外側に浸入した水滴を排出することができる。
【図面の簡単な説明】
【０００７】
【図１】本発明による蓋構造を備えた撮像装置の斜視図である。
【図２】（ａ）本発明による蓋構造を配置した表示装置（カバー部材２１１が閉位置）の斜視図である。  （ｂ）本発明による蓋構造を配置した表示装置（カバー部材２１１が開位置）の斜視図である。
【図３】（ａ）本発明によるカバー部材２１１の斜視図である。  （ｂ）本発明によるカバー部材２１１の裏面側からみた斜視図である。
【図４】本発明による蓋構造を配置した表示装置の上面図である。
【図５】本発明によるカバー部材２１１の開閉機構を分解した分解斜視図である。
【図６】本発明による蓋構造を配置した表示装置を回動軸中心で切断した断面図である。
【図７】本発明による被覆操作部の拡大側面図である。
【図８】本発明によるカバー部材２１１が閉位置の開閉カバー側係止爪部３０２を通る断面図である。
【図９】本発明によるカバー部材２１１が閉位置になる直前の開閉カバー側係止爪部３０２を通る断面図である。
【図１０】外装部材４０１の概略の金型構造の斜視図である。
【発明を実施するための形態】
【０００８】
以下、本発明に係る電子機器の構成を、図１−１０を用いて詳細を説明する。
【０００９】
図１は本発明の実施形態に係る電子機器である撮像装置（デジタルビデオカメラ１００）の斜視図である。図２は本発明実施形態に係る電子機器である撮像装置（デジタルビデオカメラ１００）に取り付けられている表示装置１０２の斜視図である。
【００１０】
図１において、撮像装置本体１０１は互いがそれぞれ嵌合した外装部材から構成されており、その内部に撮像素子（不図示）や基板、フレキシブル基板、板金部品、成型部品などの部品が収納されている。撮像装置本体１０１の上部には表示装置１０２が載置され、撮影者は撮像装置本体１０１で撮影される画像や映像を確認したり、記録媒体に記録された映像を表示したりすることができる。
【００１１】
表示装置１０２の構成について、図２を用いて説明する。表示装置１０２は、大きく分けて、画像や映像が表示される面である表示面２０２とその反対側の面である背面を有している表示部２０１と、第１の操作部材としての操作スイッチ群２０３などを配置した操作部２０４で構成されている。この表示部２０１は、第１の回動軸２０５、第２の回動軸２０６の互いに直交する２軸を有する回動部２０７により、２つの軸を回転中心として、回動可能である。
【００１２】
操作部２０４は、操作スイッチ群２０３、回動部２０７が格納される回動部格納部２０９、回動部格納部２０９に配置された表示制御スイッチ２１０、で構成されている。この表示制御スイッチ２１０は表示反転スイッチであり、表示面２０２に表示される画像や映像の表示の向きを変更するなどを制御するために、表示部２０１の姿勢に応じて使用者が選択的に表示を切り替えることができる。
【００１３】
操作部２０４は、回動軸２１４周りに回動可能なカバー部材２１１、カバー部材２１１に被覆されない操作スイッチ群２０３、カバー部材２１１で被覆された被覆操作スイッチ群２１３（第２の操作部材）で構成される。被覆操作スイッチ群２１３は、カバー部材２１１で被覆されることによって、撮影者が意図せず触ってしまうことを防ぐ。また、操作スイッチ群２０３が配設される操作部２０４の面を領域２２０（第一の領域）とする。
【００１４】
カバー部材２１１（カバー部材）は、回動軸２１４周りに回動することで、図２（ａ）に示すような操作部２０４を覆う閉位置と、図２（ｂ）に示すような開位置との２つの位置を取ることができる。また、カバー部材２１１側面には使用者が開閉動作をし易くするための指掛け部２１２が配置されている。
【００１５】
＜カバー部材２１１の構造＞
カバー部材２１１の構造について、図３（ａ）、図３（ｂ）を用いて説明する。図３（ａ）はカバー部材２１１の斜視図であり、図３（ｂ）はカバー部材２１１の裏面側からの斜視図である。
【００１６】
カバー部材２１１は、被覆操作スイッチ群２１３（第２の操作部材）の位置が見やすいように、透過性のある材料で、略平面状に形成されている。カバー部材２１１には、回動軸２１４が挿通する回動軸孔３０１、カバー部材２１１が閉位置を維持するための開閉カバー側係止爪部３０２、指掛け部２１２が形成されている。開閉カバー側係止爪部３０２は、開閉カバー側係止爪部３０２の幅方向と回動軸２１４とが平行になるように配置されている。一方で、指掛け部２１２は開閉カバー側係止爪部３０２の幅方向と垂直な面（指掛け設置面３０３）に配置されている。
【００１７】
これは、もし指掛け設置面３０３と開閉カバー側係止爪部３０２の幅方向が平行であると、使用者がカバー部材２１１を閉位置から開位置に操作する際に、指掛け部２１２に指を掛ける。しかしながら、指掛け設置面３０３の面直方向に荷重が作用してしまい、開閉カバー側係止爪部３０２と操作部側係止爪部４０５が深く係止する方向に押されてしまう（図８参照）。このため、カバー部材２１１を開くために必要な操作力が増大し、操作しづらくなってしまう。よって、カバー部材２１１の指掛け部２１２が開閉カバー側係止爪部３０２の幅方向と垂直な面（指掛け設置面３０３）に配置されていることで、カバー部材２１１の操作性が向上する。
【００１８】
＜カバー部材２１１の取付構造＞
開閉カバーであるカバー部材２１１の取付構造について、図４〜７を用いて説明する。図４はカバー部材２１１を開状態に配置した表示装置１０２の上面図である。図５はカバー部材２１１を含む開閉カバー部材の開閉機構を分解した分解斜視図である。図６はカバー部材２１１を閉じる状態に配置した表示装置１０２を回動軸中心で切断した断面図である。図７は被覆操作スイッチ群２１３の側面拡大図である。
【００１９】
カバー部材２１１の取付は、まず、回動軸２１４を回動軸孔３０１に挿通させる。次に、回動軸２１４を挿通させたカバー部材２１１を外装部材４０１に載置する。次に、外装部材４０１の内部から密封部材５０１を取り付けた回動軸保持部材５０２を外装部材４０１に位置決めし、ビス５０３にて締結、固定する。このような構造をとることで、回動軸２１４周辺の隙間を封止することができるため、防塵性、防滴性の確保が可能となる。
【００２０】
被覆操作スイッチ群２１３が配置される面である領域２２１（第二の領域）には、被覆操作スイッチ群２１３が表出する開口部４０２が構成されている。また、被覆操作スイッチ群２１３が表出し、被覆操作スイッチ群２１３の機能名称などが印刷で表示される主面である被覆操作部配置領域４０３が構成されている。また、被覆操作部配置領域４０３を周回する溝部４０４、カバー部材２１１が閉位置を維持するための係合形状である操作部側係止爪部４０５が構成されている。
【００２１】
被覆操作部配置領域４０３は、図７に示すように、カバー部材２１１が閉位置で表示部２０１が非表示姿勢をとれるように、操作スイッチ群２０３が配置された面よりも低い位置に設定されている。つまり被覆操作スイッチ群２１３が配置される面である領域２２１（第二の領域）は、操作スイッチ群２０３が配置される面である領域２２０（第一の領域）より低い位置にある。同時に、カバー部材２１１の高さもカバー部材２１１が閉位置で表示部２０１が非表示姿勢をとれるように設定されている。つまり、カバー部材２１１が閉位置の時の上面と操作スイッチ群２０３が配置された面（２２０）が同一平面上もしくは少し低くなるように構成されている。被覆操作スイッチ群２１３が配置される面である領域２２０は一辺が外装部材４０１の端面側に開口する（被覆操作部開口部４０６）ように構成されている。
【００２２】
溝部４０４は、図４および図７に示すように、被覆操作部開口部４０６を除く被覆操作部配置領域４０３の３辺には溝部４０４の一部が形成されている。この溝部４０４は被覆操作部配置領域４０３よりも低い高さに形成されている。また、被覆操作部開口部４０６と１辺を共にする外装部材４０１側面にも溝部４０４が周り込んでいる。つまり、溝部４０４はカバー部材２１１で被覆される領域の全周に配置されている。
【００２３】
このように被覆操作部配置領域４０３を取り囲むように溝部４０４を構成することで、カバー部材２１１周囲から浸入した水滴を溝部４０４で受け、被覆操作部開口部４０６から外装部材４０１の外側に排出することができるようになる。
【００２４】
＜カバー部材２１１の動作＞
続いて、カバー部材２１１の動作について図２（ａ）、（ｂ）、図８、図９を用いて説明する。図８はカバー部材２１１が閉位置での開閉カバー側係止爪部３０２（操作部側係止爪）部を通る断面図、図９はカバー部材２１１が閉位置になる直前の開閉カバー側係止爪部３０２（操作部側係止爪）部を通る断面図である。
【００２５】
カバー部材２１１を閉位置から開位置に動作させる場合について説明する。まず、指掛け部２１２に使用者が指をかけ、カバー部材２１１が開位置になるように矢印８０１方向に荷重をかける。そのとき、係止されている開閉カバー側係止爪部３０２と操作部側係止爪部４０５の当接面で荷重が作用し、開閉カバー側係止爪部３０２が操作部側係止爪部４０５から離れるように撓むことで、開閉カバー側係止爪部３０２が外れ、開位置まで回動可能となる。
【００２６】
カバー部材２１１を開位置から閉位置に動作させる場合について説明する。まず、開位置にあるカバー部材２１１を閉位置になるように矢印９０１方向に回動し、開閉カバー側係止爪部３０２と操作部側係止爪部４０５が当接するまでカバー部材２１１を操作する。次に、カバー部材２１１上面から荷重をかけることで、開閉カバー側係止爪部３０２と操作部側係止爪部４０５の当接面で荷重が作用する。その荷重によって、開閉カバー側係止爪部３０２が操作部側係止爪部４０５から離れるように撓むことで、係止爪同士が係合し閉位置まで操作可能となる。
【００２７】
＜係止爪部の構成＞
次に、図４、図７、図８、図９を用いて、開閉カバー側係止爪部３０２と操作部側係止爪部４０５の関係を説明する。
【００２８】
図４、図７に示すように、操作部側係止爪部４０５は、溝部４０４と被覆操作部開口部４０６が交差する箇所に溝部４０４と連続的になるように配置されている。また、図７に示された操作部側係止爪配置面７０１に、回動軸２１４と操作部側係止爪部４０５の幅方向が平行になるように配置されている。この操作部側係止爪配置面７０１は、回動軸２１４を一辺とする被覆操作部配置領域４０３がなす略長方形のうち回動軸２１４に対向する辺であり、被覆操作部配置領域４０３に対して垂直かつ回動軸２１４と平行な面であるとする。
【００２９】
図１０は、外装部材４０１の金型構造の概略である。
【００３０】
外装部材４０１は、固定金型１００１とスライド金型１００４によって構成されている。固定金型１００１は、被覆操作スイッチ群２１３が配置された面を形成する。またスライド金型１００４は、固定金型１００１とは反対方向（矢印１００２側）に動く可動型（図示しない）、操作スイッチ群２０３が配置された面に対して平行な方向（矢印１００３側）に動く。スライド金型１００４には、操作部側係止爪部４０５を形成するための操作部側係止爪形成部１００５が用意されている。
【００３１】
従来、このような金型構造で操作部側係止爪部４０５のような形状を作成する場合、食い切り（可動型側を固定金型１００１側に突出させ、外装部材４０１に穴形状を作成するような金型構成方法）で作成される。しかし、前述のように操作部側係止爪配置面７０１を配置することで、被覆操作スイッチ群２１３が配置された面（領域２２１）の全周に穴形状を設けることなく、外装部材４０１を形成可能になる。そのため、外装部材４０１に穴形状が無くなるため、防塵性、防滴性が確保される。
【００３２】
係止部は、カバー部材２１１の閉位置において、操作スイッチが配置される領域（２２１）に対して垂直かつ回動軸と平行な面に配設され、かつ、回動軸と係止部の幅方向が平行になるように配設した。このことで、カバー部材２１１の防塵性、防滴性を確保しつつ、カバー部材２１１の操作性の向上を実現できた。
【００３３】
以上、本発明をその好適な実施形態に基づいて詳述してきたが、本発明はこれら特定の実施形態に限られるものではなく、この発明の要旨を逸脱しない範囲の様々な形態も本発明に含まれる。また、上述の実施形態の一部を適宜組み合わせてもよい。たとえば、デジタルビデオカメラ以外の電子機器に用いても良い。
【符号の説明】
【００３４】
２１１  カバー部材
２１３  被覆操作スイッチ群
４０４  溝部
【図１】
2013093724.tif 000003
【図２】
2013093724.tif 000004
【図３】
2013093724.tif 000005
【図４】
2013093724.tif 000006
【図５】
2013093724.tif 000007
【図６】
2013093724.tif 000008
【図７】
2013093724.tif 000009
【図８】
2013093724.tif 000010
【図９】
2013093724.tif 000011
【図１０】
2013093724.tif 000012